(57)【要約】【課題】  ランダムアクセス性能が良好で、記憶容量を増大させたとしても携帯性が損なわれることのないディスクカートリッジ及びディスクドライブを提供する。【解決手段】  ケース２０内には、中心部にセンタコア１１〜１４が設けられた磁気ディスクメディアＤ１〜Ｄ４が保持されている。センタコア１１〜１４の中心には、円形の貫通孔１１ｂ〜１４ｂが形成され、貫通孔１１ｂの形状は、貫通孔１２ｂを含む形状であり、貫通孔１２ｂの形状は、貫通孔１３ｂを含む形状であり、貫通孔１３ｂの形状は、貫通孔１４ｂを含む形状である。【選択図】      図２
2005346831.tif 000002
【特許請求の範囲】
【請求項１】
ケース内に複数枚のディスクメディアを厚み方向に重ねて設けたディスクカートリッジであって、
前記ケースは、厚みが可変であり、前記各ディスクメディアの中心部には、それぞれ貫通孔を有するセンタコアが設けられ、隣接する前記センタコアの一方の前記貫通孔は、その形状が他方の前記貫通孔の形状を含む大きさで形成されていることを特徴とするディスクカートリッジ。
【請求項２】
請求項１に記載のディスクカートリッジにデータの記録および／または再生をするディスクドライブであって、
前記センタコアの前記貫通孔に挿通されることで、少なくとも１組の前記ディスクメディアの間隔を広げるスピンドルを有することを特徴とするディスクドライブ。
【請求項３】
前記スピンドルは、その先端で前記ケースを押動することで、前記ケースの厚みを広げるように構成されたことを特徴とする請求項２に記載のディスクドライブ。
【発明の詳細な説明】
【技術分野】
【０００１】
本発明は、ケース内にディスクメディアを複数枚収納したディスクカートリッジ及びディスクドライブに関する。
【背景技術】
【０００２】
コンピュータのデータを記録再生するための磁気記録再生装置としては、例えば、薄膜磁気ヘッドを組み込んだ装置が実用化されている。薄膜磁気ヘッドは、小型化やマルチトラックヘッドに加工し易いため、特に磁気テープを媒体とする装置では、薄膜磁気ヘッドを複数組み込んだマルチトラック固定ヘッドが多く利用されている。薄膜磁気ヘッドを利用することで、ヘッドの小型化によりトラック密度を高めて高密度記録を実現できるとともに、マルチトラック化によりデータの転送速度の向上が図られている。
【０００３】
近年、取り扱うデータ量の増大とともに、更なるデータ転送速度の向上が要求されているが、磁気テープは、大容量のデータの保存を主目的としているため、記録容量の点では優れているが、ランダムアクセス性能という点では劣っている。そこで、データ量の拡大を図るとともにランダムアクセス性能を向上させるために、比較的高いアクセス速度を発揮できるフレキシブルな磁気ディスクメディアを複数枚重ねたディスクカートリッジが提案されている（特許文献１参照）。
【特許文献１】特開２００４−２２０１１号公報（段落００１１〜００１４、図３）
【発明の開示】
【発明が解決しようとする課題】
【０００４】
しかし、特許文献１に記載の発明は、記録容量の増加及びランダムアクセス性能の向上を図ることは可能であるが、さらなる記録容量の増大を図るためにケース内に収納する磁気ディスクメディアの枚数を増やすと、磁気ディスクメディアを収納するケースが磁気テープのメディアを収納するケースよりも嵩高になり、持ち運びが不便になるという問題がある。これは、磁気ディスクメディアの記録面に沿って磁気ヘッドを移動させる必要があるため、磁気ディスクメディアと磁気ディスクメディアとの間に磁気ヘッドが移動可能な空間を確保した状態で各磁気ディスクメディアをケース内に保持する必要があるからである。
【０００５】
本発明は、前記従来の課題を解決するものであり、ランダムアクセス性能が良好で、しかも記録容量を増大させたとしても携帯性が損なわれることのないディスクカートリッジ及びディスクドライブを提供することを目的とする。
【課題を解決するための手段】
【０００６】
本発明のディスクカートリッジは、ケース内に複数枚のディスクメディアを厚み方向に重ねて設けたディスクカートリッジであって、前記ケースは、厚みが可変であり、前記各ディスクメディアの中心部には、それぞれ貫通孔を有するセンタコアが設けられ、隣接する前記センタコアの一方の前記貫通孔は、その形状が他方の前記貫通孔の形状を含む大きさで形成されていることを特徴とするものである。
【０００７】
前記本発明では、前記のように各貫通孔の形状を決めることにより、スピンドルを一方向から挿入したときにスピンドルを各貫通孔に挿通することができるようになるので、隣接するディスクメディアを互いに離間させた状態で支持できるようになる。また、スピンドルを各貫通孔から引き抜くことで、各ディスクメディアを互いに接近する方向へ移動できるので、ケースの厚みを小さくできるようになる。したがって、ケースに多数のディスクメディアを収納して記録容量の増大を図ったとしても携帯性を損なうことがない。しかも、メディアとして磁気テープではなくディスクを使用するので高いアクセス速度を発揮することができる。
【０００８】
また、本発明のディスクドライブは、前記ディスクカートリッジにデータの記録および／または再生をするディスクドライブであって、前記センタコアの前記貫通孔に挿通されることで、少なくとも１組の前記ディスクメディアの間隔を広げるスピンドルを有することを特徴とするものである。
【０００９】
これにより、スピンドルを各貫通孔に挿通して、各ディスクメディアをヘッドが移動可能な間隔に広げた状態で回転可能に支持できるようになる。
【００１０】
また、前記スピンドルは、その先端で前記ケースを押動することで、前記ケースの厚みを広げるように構成されることが好ましい。
【００１１】
これにより、ケースの厚みを広げるための別の機構をディスクドライブに設ける必要がないので、ディスクドライブの機構を簡略化できる。
【発明の効果】
【００１２】
本発明によれば、ディスク形状のメディアを使用するのでランダムアクセス性能が良好で、しかも記録容量の増大を図るためにケースに複数枚のディスクメディアを設けたとしても携帯性が損なわれることがない。
【発明を実施するための最良の形態】
【００１３】
図１は、本実施形態のディスクカートリッジがディスクドライブに装填される前の状態を示す斜視図、図２は、図１のＡ−Ａ線の拡大断面図、図３は、本実施形態のディスクカートリッジがディスクドライブに装填されている状態を示す斜視図、図４は、図３のＢ−Ｂ線の拡大断面図、図５は、付勢手段の配置を示す概略図、図６（ａ）は、図５のＣ−Ｃ線の断面図、（ｂ）は、縮んだ状態のディスクカートリッジを図５のＣ−Ｃ線に相当する部分で切断したときの断面図、図７は、シャッタの構造を示す一部切欠斜視図、図８（ａ）は、ディスクドライブを示す概略図、（ｂ）は、ディスクドライブのスピンドルを示す正面図である。
【００１４】
図２に示すように、このディスクカートリッジ１０は、ケース２０を有し、このケース２０内に例えば４枚の円環状のフレキシブルな磁気ディスクメディアＤ１，Ｄ２，Ｄ３，Ｄ４が厚み方向に重ねられた状態で設けられている。なお、ケース２０内に設ける磁気ディスクメディアの枚数は、これに限定されるものではない。以下の実施形態では、磁気ディスクメディアＤ１〜Ｄ４の上面と下面にそれぞれデータの記録面が形成されているものとして説明する。
【００１５】
図１に示すように、前記ケース２０は、可撓性を有する合成樹脂などで形成され、四角板状の上面部２０ｍ及び下面部２０ｎと、伸縮部２０ａとで四角箱状に形成されている。伸縮部２０ａは、４辺の各側面に設けられ、交互に折り畳み可能な蛇腹形状となっている。よって、ケース２０は、図１に示すようにディスクドライブ１に装填されていないときには、伸縮部２０ａが折り畳まれて縮んでおり、図３に示すようにディスクドライブ１に装填されているときには引き伸ばされている。
【００１６】
図３に示すように、ケース２０は、その一部に開口部２０ｂが形成されている。この開口部２０ｂは、所定の幅寸法でケース２０の上面部２０ｍから伸縮部２０ａを通って下面部２０ｎに至るようにしてコ字状に切り欠かれている。上面部２０ｍ及び下面部２０ｎに形成された各切欠部２０ｂ１，２０ｂ２は、磁気ディスクメディアＤ１，Ｄ４の内周縁から外周縁まで露出する寸法で形成されている。
【００１７】
図１、図３及び図７に示すように、前記ケース２０には、前記開口部２０ｂを覆うことのできる大きさのシャッタ２１が設けられている。このシャッタ２１は、例えば樹脂製の薄板を折り曲げて形成したものであり、所定の幅寸法Ｗ（図７参照）でケース２０の上面部２０ｍに形成された切欠部２０ｂ１を覆う平板部２１ａと、ケース２０の下面部２０ｎに形成された切欠部２０ｂ２を覆う平板部２１ｂと、前記切欠部２０ｂ１と切欠部２０ｂ２との間の切欠部２０ｂ３を覆う波板部２１ｃとで構成されている。波板部２１ｃは、前記伸縮部２０ａの折り畳み形状に沿って折り曲げ形成されて、伸縮部２０ａが伸縮したときに伸縮部２０ａの凹凸形状に沿って変形して伸縮可能となっている。
【００１８】
図７に示すように、前記平板部２１ａの端部は、内側に向けて折返し部２１ａ１が形成されている。ケース２０の上面部２０ｍには、折返し部２１ａ１と対向する位置に係止板２０ｄが一体に形成されている。係止板２０ｄは、前記開口部２０ｂとは逆側が開放する断面コ字型の形状で、シャッタ２１の幅方向に長く延びて形成されている。また、係止板２０ｄは、その長さ寸法Ｔがシャッタ２１の幅寸法Ｗよりも長く、例えばシャッタ２１の幅寸法Ｗの２倍程度の長さである。同様にして、前記平板部２１ｂの端部にも折返し部２１ｂ１が形成され、ケース２０の下面部２０ｎに係止板２０ｅが形成されている。各折返し部２１ａ１，２１ｂ１が係止板２０ｄ，２０ｅに挿入されると、シャッタ２１が幅方向にスライド可能となり、またこのときシャッタ２１の波板部２１ｃは、伸縮部２０ａの折り畳み形状の面に沿ってスライドするようになっている。なお、図示していないが、係止板２０ｄ，２０ｅのそれぞれの両端部には、シャッタ２１がスライドしたときに係止板２０ｄ，２０ｅから抜け出ないようにするための抜け止め手段が設けられている。
【００１９】
図７に示すように、前記ケース２０には、トーションコイルばね３５が設けられている。このトーションコイルばね３５は、ケース２０の上面部２０ｍに形成された図示しない溝部に設けられ、その一端がケース２０側に支持され、他端がシャッタ２１に支持されて、シャッタ２１が開口部２０ｂを塞ぐ方向へ常に付勢されるようになっている。
【００２０】
図４に示すように、磁気ディスクメディアＤ１，Ｄ２，Ｄ３，Ｄ４の中心部には、例えば磁性材料で形成されたセンタコア１１，１２，１３，１４が設けられている。センタコア１１，１２，１３，１４は、その外周縁に沿ってフランジ部１１ａ，１２ａ，１３ａ，１４ａが形成され、フランジ部１１ａ，１２ａ，１３ａ，１４ａの上面に磁気ディスクメディアＤ１，Ｄ２，Ｄ３，Ｄ４の内周縁部が保持されるように構成されている。
【００２１】
図２に示すように、前記センタコア１１，１２，１３，１４の中心部には、例えば円形の貫通孔１１ｂ，１２ｂ，１３ｂ，１４ｂが形成されている。貫通孔１１ｂ，１２ｂ，１３ｂ，１４ｂは、その径寸法をＲ１，Ｒ２，Ｒ３，Ｒ４としたときに、Ｒ１＞Ｒ２＞Ｒ３＞Ｒ４となるように設定されている。さらに詳述すると、貫通孔１１ｂの形状は、貫通孔１２ｂの形状を含む大きさであり、貫通孔１２ｂの形状は、貫通孔１３ｂの形状を含む大きさであり、貫通孔１３ｂの形状は、貫通孔１４ｂの形状を含む大きさであり、各貫通孔１１ｂ〜１４ｂの形状は、互いに相似形状である。なお、貫通孔１１ｂ，１２ｂ，１３ｂ，１４ｂの形状は、円形に限定されるものではなく、四角形、三角形などその他の形状であってもよい。
【００２２】
前記センタコア１１，１２，１３，１４の下面には、例えば円形の凹部１１ｃ，１２ｃ，１３ｃ，１４ｃが形成されている。凹部１１ｃ，１２ｃ，１３ｃ，１４ｃは、その内径寸法をＳ１，Ｓ２，Ｓ３，Ｓ４（図２参照）としたときに、Ｓ１＜Ｓ２＜Ｓ３＜Ｓ４となるように設定されている。
【００２３】
図２及び図４に示すように、センタコア１１の凸部の外径寸法は、センタコア１２の凹部１２ｃの内径寸法Ｓ２より若干小さく設定され、センタコア１２の凸部の外径寸法は、センタコア１３の凹部１３ｃの内径寸法Ｓ３より若干小さく設定され、センタコア１３の凸部の外径寸法は、センタコア１４の凹部１４ｃの内径寸法Ｓ４より若干小さく設定されている。したがって、ケース２０が図２に示すように縮められたときに、センタコア１１の凸部は、凹部１２ｃ内に、センタコア１２の凸部は、凹部１３ｃ内に、センタコア１３の凸部は、凹部１４ｃ内に、それぞれ挿入された状態で重ねられる。
【００２４】
図２及び図４に示すように、ケース２０内には、ライナー３１，３１，３２，３２，３３，３３，３４，３４が設けられている。各ライナー３１〜３４は、磁気ディスクメディアＤ１，Ｄ２，Ｄ３，Ｄ４の上面及び下面に対してそれぞれ外周から内周までを覆うシートであり、各ライナー３１〜３４の外縁部が前記伸縮部２０ａの内壁２０ａ１に支持されている。よって、各磁気ディスクメディアＤ１〜Ｄ４は、センタコア１１〜１４と、ライナー３１〜３４とによってケース２０内に保持される。なお、図示していないが、各ライナー３１〜３４は、開口部２０ｂの領域には形成されていない。
【００２５】
図５に示すように、ケース２０の内部には、各磁気ディスクメディアＤ１〜Ｄ４が接触しない四隅に付勢手段２２，２２，２２，２２が設けられている。各付勢手段２２は、それぞれ図６に示すように、コイルばね２３と、筒体２４ａ，２４ｂとで構成されている。筒体２４ａの内径寸法Ｑ１は、筒体２４ｂの外径寸法Ｑ２より若干小さく形成され、筒体２４ｂが筒体２４ａ内を進退自在に摺動できるようになっている。また、筒体２４ａ，２４ｂ内には、コイルばね２３が挿入されて、筒体２４ａの下端とコイルばね２３の下端とがそれぞれ下面部２０ｎに支持され、筒体２４ｂの上端とコイルばね２３の上端とがそれぞれ上面部２０ｍに支持されている。コイルばね２３は、図６（ｂ）に示すように、ケース２０を常に縮める方向に付勢力を発揮するようにして筒体２４ａ，２４ｂ内に収められている。
【００２６】
なお、本実施形態では、図６（ａ）に示すようにディスクカートリッジ１０がディスクドライブ１（図３参照）に装填されてケース２０が最も伸ばされたときに、筒体２４ａと筒体２４ｂの一部が互いに重なり合うように設定されている。このため、コイルばね２３を安定して保持することができ、コイルばね２３の伸縮動作時にコイルばね２３が磁気ディスクメディアＤ１，Ｄ２，Ｄ３，Ｄ４に接触して、磁気ディスクメディアＤ１，Ｄ２，Ｄ３，Ｄ４に傷が付くのを防止できるようになっている。
【００２７】
図１に示すように、本実施形態のディスクカートリッジ１０は、専用に設計されたディスクドライブ１に装填されて、データの記録や再生が行われる。ディスクドライブ１の前面には、ディスクカートリッジ１０が挿入される挿入口１ａが設けられている。この挿入口１ａは、幅方向に細長く、その高さ寸法がディスクカートリッジ１０の装填前の縮んだ状態の厚み寸法とほぼ同じに設定されている。
【００２８】
図１に示すように、ディスクドライブ１には、回転駆動部２とヘッド部３が設けられている。回転駆動部２は、図８（ａ）に示すように、スピンドル５と、スピンドルモータＭ１と、昇降モータＭ２とを有している。
【００２９】
スピンドル５は、回転軸５ａ，５ｂ，５ｃ，５ｄ，５ｅを有し、回転軸５ａ，５ｂ，５ｃ，５ｄ，５ｅの軸寸法をＲａ，Ｒｂ，Ｒｃ，Ｒｄ，Ｒｅとしたときに（図８（ｂ）参照）、Ｒａ＞Ｒｂ＞Ｒｃ＞Ｒｄ＞Ｒｅとなるように設定されている。また、スピンドル５は、図示しない機構によって、図３及び図８に示すようにピラミッド状に突出する姿勢と、図１に示すように回転軸５ｂ〜５ｅが回転軸５ａ内に収納される姿勢との間で変形できるようになっている。
【００３０】
図８に示すように、回転軸５ａの軸寸法Ｒａは、センタコア１１の凹部１１ｃの内径寸法Ｓ１（図２参照）より若干小さく形成されている。なお、軸寸法Ｒａは、内径寸法Ｓ１よりさらに小さくてもよい。また、回転軸５ｂ〜５ｅの軸寸法Ｒｂ〜Ｒｅは、センタコア１１〜１４の貫通孔１１ｂ〜１４ｂの径寸法Ｒ１〜Ｒ４（図４参照）より若干小さく形成されている。したがって、回転軸５ｂは、センタコア１１の貫通孔１１ｂを挿通でき、回転軸５ｃは、センタコア１２の貫通孔１２ｂを挿通でき、回転軸５ｄは、センタコア１３の貫通孔１３ｂを挿通でき、回転軸５ｅは、センタコア１４の貫通孔１４ｂを挿通できるようになっている。また、図４に示すように、回転軸５ａの上面周縁部、回転軸５ｂの上面周縁部、回転軸５ｃの上面周縁部、及び回転軸５ｄの上面周縁部は、センタコア１１，１２，１３，１４を磁力で吸着する吸着面５ａ１，５ｂ１，５ｃ１，５ｄ１となっている。
【００３１】
各回転軸５ａ〜５ｅは、前記昇降モータＭ２による駆動力によって上下方向に動作可能であり、前記スピンドルモータＭ１による駆動力によって磁気ディスクメディアＤ１〜Ｄ４を回転駆動できるようになっている。
【００３２】
前記ヘッド部３は、ヘッド支持部６と、ヘッド７と、モータＭ３を有して構成され、ディスクドライブ１の奥側に設けられている。
【００３３】
ヘッド支持部６は、ディスクカートリッジ１０がディスクドライブ１に装填されたときにケース２０の開口部２０ｂに対向する位置に設けられている。ヘッド７は、アーム７ａ，７ｂ，７ｃ，７ｄ，７ｅと、磁気ヘッドＨ１，Ｈ２，Ｈ３，Ｈ４，Ｈ５，Ｈ６，Ｈ７，Ｈ８とで構成されている。アーム７ａの先端には、磁気ディスクメディアＤ１に向く側に磁気ヘッドＨ１が設けられ、アーム７ｂの先端には、磁気ディスクメディアＤ１，Ｄ２に向く側に磁気ヘッドＨ２，Ｈ３が設けられ、アーム７ｃの先端には、磁気ディスクメディアＤ２，Ｄ３に向く側に磁気ヘッドＨ４，Ｈ５が設けられ、アーム７ｄの先端には、磁気ディスクメディアＤ３，Ｄ４に向く側に磁気ヘッドＨ６，Ｈ７が設けられ、アーム７ｅの先端には、磁気ディスクメディアＤ４に向く側に磁気ヘッドＨ８が設けられている。なお、図８に示すヘッド７の構成は、一例であり、磁気ヘッドＨ１〜Ｈ８をそれぞれ別々のアームで支持するようにしてもよい。なお、図示していないが、ディスクドライブ１には、各磁気ヘッドＨ１〜Ｈ８を磁気ディスクメディアＤ１〜Ｄ４に接触させるためのクランプ手段が設けられている。
【００３４】
各磁気ヘッドＨ１〜Ｈ８の構成としては、例えば、単一の薄膜磁気ヘッドを設けて構成してもよく、あるいは複数の薄膜磁気ヘッドを設けてマルチトラック化してもよい。マルチトラック化することにより、同時に複数のトラックを走査できるようになるので、転送速度やランダムアクセス性能の向上を図ることができる。また、薄膜磁気ヘッドを利用することでヘッドの小型化が可能になるので、トラック密度を高めて磁気ディスクメディアＤ１〜Ｄ４の記録容量を高めることができる。
【００３５】
前記ヘッド支持部６は、モータＭ３と接続されており、このモータＭ３からの駆動力によってヘッド支持部６がディスクカートリッジ１０に接近する方向と離れる方向に移動可能となっている。この動作により、各磁気ヘッドＨ１〜Ｈ８は、磁気ディスクメディアＤ１〜Ｄ４の記録面に対して内周から外周にかけて移動可能となっている。
【００３６】
図８に示すように、前記スピンドルモータＭ１、昇降モータＭ２、及びモータＭ３には、ＣＰＵなどで構成された制御部８が接続されている。この制御部８は、ディスクドライブ１にディスクカートリッジ１０が装填されたときに、昇降モータＭ２を制御して各回転軸５ａ〜５ｅを所定の位置に上昇させるとともにスピンドルモータＭ１を制御して各回転軸５ａ〜５ｅを高速で回転させる。また、制御部８は、モータＭ３を制御して磁気ヘッドＨ１〜Ｈ８を磁気ディスクメディアＤ１，Ｄ２，Ｄ３，Ｄ４の記録面に沿って移動させる。
【００３７】
次に、本実施形態のディスクカートリッジの動作について説明する。
図１に示すように、ディスクドライブ１に装填される前のディスクカートリッジ１０は、付勢手段２２（図５及び図６参照）の弾性収縮力によってケース２０の伸縮部２０ａが折り畳まれた状態であり、ケース２０の厚み寸法が最も小さくなるように縮められている。また、シャッタ２１は、波板部２１ｃが伸縮部２０ａに沿って折り畳まれて、開口部２０ｂを塞ぐ位置にトーションコイルばね３５の付勢力によって付勢されている。
【００３８】
図２に示すように、ディスクカートリッジ１０の内部では、センタコア１１がセンタコア１２の凹部１２ｃに挿入され、センタコア１２がセンタコア１３の凹部１３ｃに挿入され、センタコア１３がセンタコア１４の凹部１４ｃに挿入されて、センタコア１１，１２，１３，１４が互いに接触した状態または非常に接近した状態で重ねられて、同時に磁気ディスクメディアＤ１，Ｄ２，Ｄ３，Ｄ４も互いに接近した状態となる。
【００３９】
また、ケース２０の伸縮部２０ａが折り畳まれると、伸縮部２０ａの内壁２０ａ１に保持されている各ライナー３１〜３４は、磁気ディスクメディアＤ１〜Ｄ４との位置関係を一定に保った状態で移動する。したがって、ケース２０を伸縮動作させたときに、ライナー３１〜３４が磁気ディスクメディアＤ１〜Ｄ４に対して磁気ディスクメディアＤ１〜Ｄ４を無理に変形させるような力が作用することがない。
【００４０】
このように、本実施形態のディスクカートリッジ１０がディスクドライブ１に装填されていないときに、各磁気ディスクメディアＤ１，Ｄ２，Ｄ３，Ｄ４が互いに接近してケースが縮められ、またディスクドライブ１に装填されているときにのみケース２０が伸ばされるので、ケース２０に収納する磁気ディスクメディアの枚数を増やして記録容量の増大を図ったとしてもケース２０が嵩高になるのを防止できる。よって、持ち運びが不便になることがない。
【００４１】
図３に示すように、ディスクカートリッジ１０がディスクドライブ１の挿入口１ａから挿入されると、図示しない案内手段によりディスクカートリッジ１０がディスクドライブ１内の所定の位置まで送られる。このときの所定の位置とは、ケース２０の下面部２０ｎに形成された穴２０ｃがスピンドル５と一致する位置を意味している。このときのディスクカートリッジ１０の送り動作に応じて、図示しないシャッタ開閉手段によってシャッタ２１が開放される。
【００４２】
そして、制御部８によって昇降モータＭ２が駆動されて、スピンドル５が前記穴２０ｃ内に向けて上昇する。この上昇動作により、回転軸５ａがセンタコア１１の凹部１１ｃ内に挿入されて、回転軸５ａの吸着面５ａ１がセンタコア１１を吸着する。さらに、回転軸５ａが上昇して、センタコア１１とともに磁気ディスクメディアＤ１が持ち上げられる。このときケース２０の下面部２０ｎは、一定の高さでディスクドライブ１内に保持されているので、伸縮部２０ａの一部が伸びて磁気ディスクメディアＤ１が前記下面部２０ｎから離間する。
【００４３】
そして、回転軸５ａから回転軸５ｂが突出して、回転軸５ｂがセンタコア１１の貫通孔１１ｂに挿通され、センタコア１２の凹部１２ｃ内に挿入されて、吸着面５ｂ１がセンタコア１２を吸着して、センタコア１２がセンタコア１１から離れる方向へ持ち上げられる。同様にして、回転軸５ｂから回転軸５ｃが突出して、回転軸５ｃがセンタコア１３を持ち上げ、また、回転軸５ｃから回転軸５ｄが突出して、回転軸５ｄがセンタコア１４を持ち上げる。最後に、回転軸５ｄから突出した回転軸５ｅがセンタコア１４の貫通孔１４ｂを突き出て、ケース２０の上面部２０ｍを押し上げる。これにより、各磁気ディスクメディアＤ１〜Ｄ４は、それぞれ上下の間隔が等しくなるようにケース２０の厚みが広げられる。
【００４４】
そして、制御部８によってモータＭ３が駆動されて、ヘッド支持部６がディスクカートリッジ１０に接近する方向へ移動して、磁気ヘッドＨ１〜Ｈ８によって磁気ディスクメディアＤ１〜Ｄ４に記録されているディスク情報などが読み込まれる。
【００４５】
データの記録処理や再生処理が終了して、ディスクドライブ１からディスクカートリッジ１０を排出する指示がなされると、ヘッド支持部６は、モータＭ３からの駆動力によってディスクカートリッジ１０から離れる方向へ移動して、各磁気ヘッドＨ１〜Ｈ８がケース２０の外側へ退避する。
【００４６】
そして、制御部８によってスピンドルモータＭ１の駆動が停止されて、スピンドル５の各回転軸５ａ〜５ｅの回転が停止する。そして、昇降モータＭ２が駆動されて、回転軸５ｅは、センタコア１４の貫通孔１４ｂから抜け出る。このとき、ケース２０は、前記付勢手段２２の弾性収縮力によって伸縮部２０ａの上部が折り畳まれて、ケース２０の上面部２０ｍがセンタコア１４に接近する位置まで移動する。そして、回転軸５ｄがセンタコア１３の貫通孔１３ｂから抜け出ると、ケース２０は、伸縮部２０ａの一部が折り畳まれてセンタコア１４がセンタコア１３と重なる位置まで下降する。同様にして、回転軸５ｃがセンタコア１２の貫通孔１２ｂから抜け出ることでセンタコア１３がセンタコア１２と重ねられ、回転軸５ｂがセンタコア１１の貫通孔１１ｂから抜け出ることでセンタコア１２がセンタコア１１に重ねられる。最後に、回転軸５ａが回転軸５ｂ〜５ｅとともにケース２０の穴２０ｃから抜け出る位置まで下降する。スピンドル５がディスクカートリッジ１０から抜け出ると、図示しないディスク排出機構によってディスクカートリッジ１０が挿入口１ａに向けて排出される。
【００４７】
本実施形態のディスクカートリッジ１０では、スピンドル５がケース２０から抜け出ると、ケース２０は、付勢手段２２の付勢力によって伸縮部２０ａが図２に示す状態に縮められるので、ディスクドライブ１にケース２０を縮めるための機構を設ける必要がなくなり、ディスクドライブ１の機構を簡略化できる。
【００４８】
また、本実施形態では、このようにディスクカートリッジ１０の厚み寸法を短くできるので、磁気ディスクメディアＤ１〜Ｄ４の設置枚数を増やして記録容量の増大を図ったとしても、ケース２０の厚み寸法が増大することがない。また、ディスクカートリッジ１０がディスクドライブ１に装填されているときのみケース２０が広がるので、携帯性が損なわれることがない。
【００４９】
本実施形態のディスクカートリッジ１０では、スピンドル５の回転軸５ａ〜５ｅを自由に突出させて磁気ディスクメディアＤ１〜Ｄ４を部分的に広げることができるようにしてもよい。例えば、図９に示すように、回転軸５ａと５ｂとを突出させて、磁気ディスクメディアＤ１のみのデータに対して記録や再生が可能になるようにしてもよい。なお、図９は、一例であるのでこれに限定されるものではなく、他の磁気ディスクメディアＤ２（Ｄ３、Ｄ４）のみを他の磁気ディスクメディアＤ１，Ｄ３，Ｄ４（Ｄ１，Ｄ２，Ｄ４、Ｄ１〜Ｄ３）に対して記録再生可能となる位置に選択的に広げてもよく、または１枚だけでなく２枚または３枚の磁気ディスクメディアを記録再生可能な位置に移動できるようにしてもよい。
【００５０】
図１０は、ディスクカートリッジの変形例を示す断面図である。
図１０に示すディスクカートリッジ１０Ａは、前記ディスクカートリッジ１０と磁気ディスクメディアＤ１〜Ｄ４の中心部に設けられたセンタコア４１，４２，４３，４４の形状が異なるものである。このセンタコア４１，４２，４３，４４は、磁気ディスクメディアＤ１〜Ｄ４を保持するフランジ部４１ａ，４２ａ，４３ａ，４４ａを有し、中心部に前記と同様なスピンドル５の回転軸５ｂ〜５ｅが挿通可能な貫通孔４１ｂ，４２ｂ，４３ｂ，４４ｂが形成されている。貫通孔４１ｂ，４２ｂ，４３ｂ，４４ｂの開口形状と、回転軸５ｂ〜５ｅの形状との関係は、前記実施形態と同じである。
【００５１】
この実施形態のセンタコア４１〜４４は、貫通孔４１ｂ〜４４ｂを除く形状がいずれも同じである側面視で略台形状となっている。また、センタコア４１〜４４の下面には、すべて同じ台形状の凹部４１ｃ，４２ｃ，４３ｃ，４４ｃが形成されている。このように、センタコア４１〜４４を台形状にすると、各センタコア４１〜４４の形状を同じにしたとしても、ケース２０が縮んだときに、センタコア４１，４２，４３の各凸部を凹部４２ｃ，４３ｃ，４４ｃに挿入することができ、センタコア４１〜４４を互いに接近した状態で重ねることができる。また、センタコア４１〜４４を同一形状（貫通孔４１ｂ，４２ｂ，４３ｂ，４４ｂを除く）にすることができるので、部品の共通化が可能になり、製造コストを低減できる。
【００５２】
なお、本発明のディスクカートリッジは、前記した実施形態に限定されるものではなく、伸縮部２０ａが伸縮性を有する弾性部材で形成されていてもよい。または、２つの箱状の部材を互いに重ね合わせたものでもよい。
【００５３】
また、前記実施形態では、ディスクメディアとして磁気ディスクメディアを例に挙げて説明したが、これに限定されるものではなく、硬質な光ディスクや磁気ディスクであってもよい。
【図面の簡単な説明】
【００５４】
【図１】本実施形態のディスクカートリッジがディスクドライブに装填される前の状態を示す斜視図である。
【図２】図１のＡ−Ａ線の拡大断面図である。
【図３】本実施形態のディスクカートリッジがディスクドライブに装填されている状態を示す斜視図である。
【図４】図３のＢ−Ｂ線の拡大断面図である。
【図５】付勢手段の配置を示す概略斜視図である。
【図６】（ａ）は、図５のＣ−Ｃ線の断面図、（ｂ）は、ディスクドライブに装填する前の状態のディスクカートリッジを図５のＣ−Ｃ線に相当する部分で切断したときの断面図である。
【図７】シャッタの構造を示す一部切欠斜視図である。
【図８】（ａ）は、ディスクドライブを示す概略図、（ｂ）は、ディスクドライブのスピンドルを示す正面図である。
【図９】ディスクカートリッジでの別の動作状態を示す断面図である。
【図１０】センタコアの変形例を示す断面図である。
【符号の説明】
【００５５】
１      ディスクドライブ
２      回転駆動部
３      ヘッド部
５      スピンドル
５ａ〜５ｅ  回転軸
１０    ディスクカートリッジ
１１〜１４  センタコア
１１ａ〜１４ａ  フランジ部
１１ｂ〜１４ｂ  貫通孔
１１ｃ〜１４ｃ  凹部
２０  ケース
２０ａ  伸縮部
２０ｂ  開口部
２１    シャッタ
２２    付勢手段
３１〜３４  ライナー
Ｄ１〜Ｄ４  磁気ディスクメディア
【図１】
2005346831.tif 000003
【図２】
2005346831.tif 000004
【図３】
2005346831.tif 000005
【図４】
2005346831.tif 000006
【図５】
2005346831.tif 000007
【図６】
2005346831.tif 000008
【図７】
2005346831.tif 000009
【図８】
2005346831.tif 000010
【図９】
2005346831.tif 000011
【図１０】
2005346831.tif 000012